(57)【特許請求の範囲】
【請求項１】
電源入力を複数に分岐して負荷に出力する出力分岐装置であって、
分岐した出力ラインに対応して該出力ラインを遮断する遮断ユニットが着脱自在に装着可能であり、
前記遮断ユニットは、出力ラインを流れる電流を検出する電流検出回路と、該出力ラインを流れる電流を遮断する電流遮断回路と、前記電流検出回路の出力に基づいて、前記電流遮断回路による電流の遮断動作を制御する制御回路とを有し、
前記遮断ユニットの前記制御回路は、前記電流遮断回路を制御して電源入力の電圧が所定の電圧に上昇したときに、出力ラインから出力を与えることを特徴とする出力分岐装置。
【請求項２】
出力ラインから出力を与えているときに、それを表示する動作表示灯を有する請求項１記載の出力分岐装置。
【請求項３】
前記遮断ユニットは、前記電流遮断回路の遮断動作を制御するための操作部を備える請求項１または２に記載の出力分岐装置。
【請求項４】
電源入力を複数に分岐して負荷に出力する出力分岐装置に着脱自在に装着されて、分岐した出力ラインに対応して該出力ラインを遮断する遮断ユニットであって、
出力ラインを流れる電流を検出する電流検出回路と、該出力ラインを流れる電流を遮断する電流遮断回路と、前記電流検出回路の出力に基づいて、前記電流遮断回路による電流の遮断動作を制御する制御回路とを有し、
前記制御回路は、前記電流遮断回路を制御して電源入力の電圧が所定の電圧に上昇したときに、出力ラインから出力を与えることを特徴とする遮断ユニット。
【請求項５】
出力ラインに過電流が流れたときに、該出力ラインを遮断する請求項４に記載の遮断ユニット。
【発明の詳細な説明】
【０００１】
【発明の属する技術分野】
本発明は、電源装置からの電源入力を複数に分岐して負荷に出力する出力分岐装置およびそれに用いる遮断ユニットに関する。
【０００２】
【従来の技術】
一般に、電源装置の出力容量と価格とは、一次比例の関係にはなく、高容量ほど割安となる傾向があり、このため、例えば、図９に示されるように、商用交流ＡＣを直流ＤＣに変換して出力する高容量の電源装置１の１台に対してセンサやモータ等の複数の負荷１３を並列に接続してシステムを構成する場合が多い。
【０００３】
【発明が解決しようとする課題】
このように１台の電源装置１に対して、複数の負荷１３を接続して使用する場合には、複数の負荷１３の一つでも短絡故障すると、電源装置１の過電流保護機能によって、電源出力が遮断されてシステム全体が停止しまう。
【０００４】
このため、例えば、負荷として制御用のコンピュータが接続されているような場合には、内部データの退避処理が間に合わず、復旧に多大な工数を要したり、安全を確保するために必要な負荷、例えば、作業者の存在を検知して工作機械の動作を停止させるためのエリアセンサや避難誘導灯などへの電源が遮断されてしまうといった難点がある。
【０００５】
そこで、電源から各負荷への電源ラインに、ブレーカをそれぞれ設置して、短絡故障した負荷の電源ラインのみを遮断することもできるけれども、各負荷の電源ラインにそれぞれブレーカを設置して配線するのは、作業が面倒であるとともに、その分スペースが必要になるといった難点がある。
【０００６】
本発明は、上述の点に鑑みて為されたものであって、電源入力を複数に分岐して出力するとともに、分岐した出力に過電流が流れたときには、そのラインのみを遮断できるようにすることを目的とする。
【０００７】
【課題を解決するための手段】
本発明では、上述の目的を達成するために、次のように構成している。
【０００８】
すなわち、本発明の出力分岐装置は、電源入力を複数に分岐して負荷に出力する出力分岐装置であって、分岐した出力ラインに対応して該出力ラインを遮断する遮断ユニットが着脱自在に装着可能であり、前記遮断ユニットは、出力ラインを流れる電流を検出する電流検出回路と、該出力ラインを流れる電流を遮断する電流遮断回路と、前記電流検出回路の出力に基づいて、前記電流遮断回路による電流の遮断動作を制御する制御回路とを有し、前記遮断ユニットの前記制御回路は、前記電流遮断回路を制御して電源入力の電圧が所定の電圧に上昇したときに、出力ラインから出力を与えるものである。
【０００９】
本発明によると、電源装置からの電源入力を複数に分岐して複数の負荷に出力するに際して、その出力ラインに対応して該出力ラインを遮断する遮断ユニットを着脱自在に装着できるので、過電流の流れた出力ラインのみを遮断できることになる。しかも、電源装置からの電源入力の電圧が所定の電圧に上昇して電源装置が十分に立ち上がった後でなければ、出力ラインから負荷へ電源出力を与えないので、電源装置が十分に立ち上がっていないのに負荷が動作を開始して大きな電流が流れ、電源装置の起動不良が生じるといった事態を回避できる。
【００１０】
分岐した複数の出力ラインの一つは、前記遮断ユニットを介することなく、電源入力をそのまま出力する一方、残余の出力ラインには、各出力ラインに個別的に対応して前記遮断ユニットを着脱自在に装着できる構成としてもよい。
【００１１】
この場合、分岐された複数の出力ラインの一つは、遮断ユニットを介することなく、電源入力をそのまま出力するので、この出力ラインに過電流が流れたときには、電源装置の過電流保護機能によって、残余の出力ラインも遮断されることになるが、この出力ラインの一つを、優先度の高い負荷、例えば、安全確保に必要な負荷に接続しておけば、安全確保に必要な負荷に電源を供給できないときには、残余の出力ラインの負荷への電源の供給を停止して、例えば、工作機械等を停止させることができ、安全性が向上する。
【００１２】
前記遮断ユニットは、分岐した複数の各出力ラインに個別的に対応して複数装着できる構成としてもよい。
【００１３】
この場合、電源装置からの電源入力を複数に分岐して出力するに際して、その各出力ラインに個別的に対応して過電流を遮断する複数の遮断ユニットがそれぞれ装着できるので、過電流の流れた出力ラインのみを遮断できることになる。
【００１４】
前記遮断ユニットは、電源入力に対する出力ラインからの出力タイミングを調整するタイミング調整回路を備える構成としてもよい。
【００１５】
この場合、電源装置からの電源入力を、負荷に対して出力する出力タイミングを調整できるので、順番に負荷を立ち上げたいような場合に対応できることになり、特に、安全確保に必要な負荷を最初に立ち上げるといったことが可能となり、安全性が向上する。
【００１６】
本発明の他の実施態様においては、出力ラインから出力を与えているときに、それを表示する動作表示灯を有するものである。
【００１７】
分岐した複数の出力ラインの少なくとも一つには、バッテリを接続してもよい。
【００１８】
この場合、分岐した複数の出力ラインの少なくとも一つには、バッテリが接続されているので、停電時でも、バッテリから負荷に電源を供給することができ、かかる負荷として、安全確保のために停止が許されない負荷、例えば、避難誘導灯を接続することにより、安全性が向上する。
【００１９】
本発明の好ましい実施態様においては、前記遮断ユニットは、前記電流遮断回路の遮断動作を制御するための操作部を備えている。
【００２０】
本発明によると、操作部の操作によって、電流遮断回路による出力ラインの遮断動作を制御できるので、分岐した複数の出力ラインの内の所要の出力ラインのみを、操作部の操作によって、遮断したり、導通させたりすることができる。
【００２１】
本発明の遮断ユニットは、電源入力を複数に分岐して負荷に出力する出力分岐装置に着脱自在に装着されて、分岐した出力ラインに対応して該出力ラインを遮断する遮断ユニットであって、出力ラインを流れる電流を検出する電流検出回路と、該出力ラインを流れる電流を遮断する電流遮断回路と、前記電流検出回路の出力に基づいて、前記電流遮断回路による電流の遮断動作を制御する制御回路とを有し、前記制御回路は、前記電流遮断回路を制御して電源入力の電圧が所定の電圧に上昇したときに、出力ラインから出力を与えるものである。
【００２２】
本発明の他の実施態様においては、出力ラインに過電流が流れたときに、該出力ラインを遮断するものである。
【００２３】
【発明の実施の形態】
以下、図面によって、本発明の実施の形態について、詳細に説明する。
【００２４】
（実施の形態１）
図１は、本発明の一つの実施の形態に係る出力分岐装置を備えるシステムの概略構成図である。
【００２５】
同図において、１は商用交流ＡＣを直流ＤＣに変換して出力する汎用の電源装置であり、図示しない交流入力端子からの交流を、安定化した、例えば、２４Ｖの直流電圧に変換して直流出力端子２ａ，２ｂから出力するものであり、絶縁型スイッチングレギュレータなどの電源回路を内蔵している。
【００２６】
３は、電源装置１からの直流入力を、複数に分岐してセンサ、ソレノイド、モータあるいは表示灯などの各種の負荷１３に出力する本発明に係る出力分岐装置である。なお、図１においては、当該出力分岐装置３に接続される負荷１３は、２つのみを代表的に示している。
【００２７】
出力分岐装置３は、分岐された複数の各出力ラインに過電流が流れたときに、それを遮断する複数、この実施の形態では、４個の遮断ユニット４1〜４4が着脱自在に装着される。各遮断ユニット４1〜４4は、遮断すべき過電流値に応じて構成されており、図１においては、過電流値が、２Ａ、１Ａ、１Ａおよび０.５Ａの遮断ユニット４1〜４4が示されている。
【００２８】
各遮断ユニット４1〜４4は、対応する出力ラインを介して負荷に直流出力を与えているときに、それを点灯表示する動作表示用ＬＥＤ５1〜５4がそれぞれ備えられている。また、各遮断ユニット４1〜４4は、図示しないコネクタ端子部を備えており、出力分岐装置３本体の収納部に収納装着することによって、本体内部のコネクタ端子部に電気的に接続されるように構成されている。さらに、各遮断ユニット４1〜４4には、図示しない後述の第１，第２スイッチＳＷ１，２および可変抵抗器ＶＲが、操作可能に設けられている。
【００２９】
出力分岐装置３は、電源装置１からの直流電圧が与えられる直流入力端子６ａ，６ｂと、この直流入力端子６ａ，６ｂからの直流入力を複数に分岐して各遮断ユニット４1〜４4を介して各負荷に対して直流出力を与える複数の直流出力端子７1ａ，７1ｂ〜７4ａ〜７4ｂを備えており、各出力端子７1ａ，７1ｂ〜７4ａ〜７4ｂが、各遮断ユニット４1〜４4に個別的に対応している。また、出力分岐装置３には、分岐された出力ラインのいずれかに過電流が流れ、対応する遮断ユニット４1〜４4が出力ラインを遮断する遮断動作を行ったときに、それを点灯表示する警告用ＬＥＤ８が備えられている。
【００３０】
この実施の形態では、直流入力を分岐した複数の出力ラインの内の一つの出力ラインは、遮断ユニットを介することなく、直流入力をそのまま出力する優先出力となっており、この優先出力に対応する直流出力端子９ａ，９ｂが備えられており、この直流出力端子９ａ，９ｂには、優先度の高い負荷が割当てられる。
【００３１】
さらに、出力分岐装置３の背面側には、停電によって電源装置１からの直流入力がなくても、特定の出力ラインに接続されている負荷に対して直流電源を供給するためのバッテリが接続可能な接続端子部が設けられている。また、この出力分岐装置３は、図示しない支持レールに取り付け可能となっており、電源装置１とともに、支持レールに並設することができる。
【００３２】
図２は、図１の出力分岐装置３の内部を簡略化して示す図であり、図１に対応する部分には、同一の参照符号を付す。
【００３３】
この実施の形態では、電源装置１から直流入力端子６ａ，６ｂに与えられる直流入力を、複数に分岐し、分岐した各出力ラインのプラス側に各遮断ユニット４1〜４4をそれぞれ接続し、出力ラインに過電流が流れたときには、後述のようにして対応する遮断ユニット４1〜４4が遮断動作を行って該当する出力ラインのみを遮断するものである。なお、優先出力の出力ラインに過電流が流れたときには、従来と同様に、電源装置１の過電流保護動作によって、直流入力が遮断されて全ての負荷への電源の供給が遮断されることになる。
【００３４】
優先出力に接続される負荷は、上述のように優先度の高い負荷、例えば、図３に示されるような安全確保に必要な作業者１４の存在を検知して工作機械１５の動作を停止させるためのエリアセンサ、具体的には、例えば、投光素子群１６および受光素子群１７からなって作業者の通過を検出する光電センサ１８あるいは作業者１４の進入による圧力を検出する感圧センサ１９などであり、かかるエリアセンサが動作できない状態では、他の負荷への電源の供給も同時に遮断して工作機械等の動作も停止させることができ、安全性を高めることができる。
【００３５】
図４は、図１の出力分岐装置３のブロック図であり、図１に対応する部分には、同一の参照符号を付す。
【００３６】
この実施の形態では、４個の遮断ユニット４1〜４4の内、過電流値２Ａに対応する遮断ユニット４1には、停電によって電源装置１からの直流入力がなくなっても負荷に直流電源を供給するバッテリ１０を接続するための上述の接続端子部としてのバッテリ入力端子１１が備えられている。また、遮断ユニット４1については、出力分岐装置３の内部のコネクタ端子に接続される後述のコネクタ端子ＣＮ１〜ＣＮ５が示されている。
【００３７】
各遮断ユニット４1〜４4は、上述の警告用ＬＥＤ８を備えるアラーム回路１２のコネクタ端子ＣＮ６に接続されており、いずれかの遮断ユニット４1〜４4が遮断動作を行ったときには、後述のように警告用ＬＥＤ８を赤色に点灯表示させるとともに、警告出力を与えるものである。
【００３８】
図５は、図４の遮断ユニット４1のブロック図であり、複数の遮断ユニット４1〜４4の代表例として示している。
【００３９】
遮断ユニット４1は、上述のように複数に分岐された出力ラインの内の対応する出力ラインを流れる電流を検出する電流検出回路２０と、この出力ラインを流れる電流を遮断する電流遮断回路２１と、電流検出回路２０の出力に基づいて、電流遮断回路２１による電流の遮断動作を制御する制御回路２２と、出力ラインを介して負荷に直流出力を与えているときに、上述の動作表示用ＬＥＤ５1を緑色に点灯表示させる表示回路２３と、充放電経路を切換えてバッテリ１０の保護動作等を行うバッテリ保証回路２４とを備えている。バッテリ保証回路２４を除けば、他の遮断ユニット４2〜４4とその構成は、基本的に同様である。
【００４０】
遮断ユニット４1は、コネクタ端子ＣＮ１からＣＮ４に至る出力ラインに過電流が流れると、電流検出回路２０で検出され、制御回路２２が電流遮断回路２１を制御して出力ラインを遮断するものである。
【００４１】
図６は、図５の遮断ユニット４1の詳細構成を示す回路図であり、図４、図５に対応する部分には、同一の参照符号を付す。
【００４２】
電流検出回２０は、抵抗Ｒ１〜Ｒ３、トランジスタＴＲ１、コンデンサＣ１およびサイリスタＴＨＹを備えるとともに、操作部としての第１，第２スイッチＳＷ１，２を備えている。電流遮断回路２１は、一定値以上の電流が流れると、インピーダンスが急上昇するポリスイッチＴＨ１およびリレーＸ１を備えている。
【００４３】
制御回路２２は、ツェナーダイオードＺＤ、抵抗Ｒ４〜Ｒ７、ダイオードＤ２、コンデンサＣ２およびトランジスタＴＲ２を備えるとともに、可変抵抗器ＶＲを備えている。
表示回路２３は、上述の動作表示用ＬＥＤ５1および抵抗Ｒ８を備えており、バッテリ保証回路２４は、抵抗Ｒ９、ダイオードＤ３およびポリスイッチＴＨ２を備えている。
【００４４】
この遮断ユニット４1においては、コネクタ端子ＣＮ１に、電源装置１から直流入力が与えられていないときには、リレーＸ１のリレー接点は、コネクタ端子ＣＮ３に接続されているＢ接点側にあり、負荷が接続される側であるコネクタ端子ＣＮ４への出力ラインは、遮断された状態となっている。
【００４５】
コネクタ端子ＣＮ１に、電源装置１から直流入力が与えられ、その直流入力電圧が、制御回路２２のツエナーダイオードＺＤに対応する所定の電圧、例えば、２４Ｖまで上昇すると、ツェナーダイオードＺＤが導通して制御回路２２のトランジスタＴＲ２のベースに電圧が印加されて導通し、リレーＸ１のリレーコイルが励磁されてリレー接点がＡ接点側に切り換わってコネクタ端子ＣＮ４から負荷に直流出力が与えられる。同時に、表示回路２３の動作表示用ＬＥＤ５1が導通して点灯表示する。
【００４６】
次に、負荷が短絡故障して一定値以上の過電流が流れると、電流検出回路２０のトランジスタＴＲ１が導通し、サイリスタＴＨＹにゲート電流が流れて導通し、制御回路２２のトランジスタＴＲ２がオフしてリレーＸ１のリレー接点がＢ接点側に復帰することによって、出力ラインが遮断される。
【００４７】
このとき、Ｂ接点側のコネクタ端子ＣＮ３には、直流入力が与えられることになり、このコネクタ端子ＣＮ３には、図７に示されるアラーム回路１２のコネクタ端子ＣＮ６が接続されているので、このアラーム回路１２において、上述の警告用ＬＥＤ８が点灯するとともに、リレーＸ２のリレー接点が切り換わって警告出力を、例えば、コネクタ端子ＣＮ８，ＣＮ１０間に接続されているプログラマブルコントローラ等の外部機器に与えることができる。
【００４８】
次に、図６の電流検出回路２０における操作部としての第１，第２スイッチＳＷ１，２について説明する。
【００４９】
第１スイッチＳＷ１は、負荷に対する直流出力を遮断したときに、操作するものであり、この第１スイッチＳＷ１をオン操作することによって、電流検出回路２０のサイリスタＴＨＹが導通し、制御回路２２のトランジスタＴＲ２がオフしてリレーＸ１のリレー接点がＢ接点側に復帰することによって、出力ラインが強制的に遮断されることになる。したがって、各遮断ユニット４1〜４4を介して各負荷に直流出力を与えている状態において、所要の遮断ユニットの直流出力のみを、手動操作によって強制的にオフできることになる。
【００５０】
一方、第２スイッチＳＷ２は、負荷が短絡故障して上述の遮断動作を行い、短絡故障した負荷を取り替えた後に、復帰させる場合に操作するものである。すなわち、遮断動作によって、第２スイッチＳＷ２およびサイリスタＴＨＹを電流が流れて制御回路のトランジスタＴＲ２がオフしている状態において、第２スイッチＳＷ２を操作すると、電流通路が切り換わってトランジスタＴＲ２がオンしてリレーＸ１のリレーコイルが励磁されてリレー接点がＡ接点側に切り換わり、コネクタ端子ＣＮ４を介して取り替えられた負荷へ直流出力を与えることができる。したがって、手動操作によって復帰させることができる。
【００５１】
以上の動作説明は、遮断ユニット４1について行ったけれども、他の遮断ユニット４2〜４4の動作も同様であり、分岐された出力ラインのいずれかに過電流が流れると、対応する遮断ユニット４1〜４4のみが遮断動作を行ってその出力ラインのみが遮断されることになり、システム全体が停止することがない。
【００５２】
しかも、従来例のように、各ライン毎にブレーカを設置する必要もなく、面倒な接続作業も不要になるとともに、ブレーカを設置するためのスペースも必要ない。
【００５３】
また、この実施の形態では、上述のようにコネクタ端子ＣＮ１に与えられる直流入力電圧が、制御回路２２のツエナーダイオードＺＤに対応する所定の電圧、例えば、２４Ｖまで上昇してツェナーダイオードＺＤが導通することによって、リレー接点が切り換わってコネクタ端子ＣＮ４から負荷に直流出力を与えるようにしている、すなわち、電源装置１が十分に立ち上がって直流出力電圧が高くなった後に、負荷への供給を開始するようにしているので、電源装置１が十分に立ち上がっていない状態で負荷に直流出力を与えて負荷が動作を開始して大きな電流が流れ、電源装置１の起動不良が生じるといった事態を回避できる。
【００５４】
さらに、この実施の形態では、制御回路２２の可変抵抗器ＶＲとコンデンサＣ２とからなるタイミング調整回路としての時定数回路によって、トランジスタＴＲ２が導通して負荷に対して直流出力を与えるタイミングを調整できる、すなわち、この例では、可変抵抗器ＶＲの抵抗値を調整することにより、電源装置１からの直流入力に対する負荷への直流出力のタイミングを調整することができるので、各遮断ユニット４1〜４4から直流出力がそれぞれ与えられる各負荷の立ち上げの順番を調整することができる。したがって、例えば、安全確保に必要な負荷を最初に立ち上げ、その後、優先度の高い負荷を立ち上げるといったことが可能となり、安全性が向上する。
【００５５】
また、上述のバッテリ１０を接続しておくことによって、バッテリ保証回路２４の抵抗Ｒ９を介してバッテリ１０に充電され、停電時に電源装置１からの電源入力が断たれたときには、ダイオードＤ３を介して負荷に直流出力を与えることができ、停電時にも負荷を駆動することができる。
【００５６】
さらに、この実施の形態では、電流遮断回路２１は、一定値以上の電流が流れると、インピーダンスが急上昇するポリスイッチＴＨ１を備えているので、リレーＸ１が溶着して過電流を遮断できない場合には、このポリスイッチＴＨ１によって過電流を遮断できる。同様に、バッテリ保証回路２４は、ポリスイッチＴＨ２を備えているので、負荷が短絡故障したときには、このポリスイッチＴＨ２によって過電流を遮断できる。
【００５７】
図８は、動作説明に供するタイムチャートの一例であり、同図（ａ）は電源装置１に対する交流入力、同図（ｂ）は電源装置１からの電源出力、すなわち、出力分岐装置３の直流入力、同図（ｃ）は出力分岐装置３の遮断ユニット４1の直流出力、同図（ｄ）は同じく遮断ユニット４2の直流出力、同図（ｅ）は出力分岐装置３の優先出力をそれぞれ示している。なお、この図８では、バッテリが接続されていない状態の動作を示しており、また、遮断ユニット４1，４2のみを示している。
【００５８】
Ｔ１において、電源装置１からの電源出力に応答して、遮断ユニット４1および優先出力が、直流出力を負荷にそれぞれ与える一方、遮断ユニット４2は、上述の時定数回路の時定数の設定によって、期間ｔだけ遅延されたタイミングで直流出力を負荷に与えている。
【００５９】
Ｔ２において、遮断ユニット４1が、過電流を検出して遮断動作を行い、遮断ユニット４2および優先出力は、独立してそれぞれ負荷に直流出力を与えている。遮断ユニット４1の負荷の異常が復旧され、電源装置１からの電源出力が断たれた後の電源入力によって、遮断ユニット４1は、Ｔ３において、復帰する。
【００６０】
Ｔ４において、遮断ユニット４2が、過電流を検出して遮断動作を行い、遮断ユニット４1および優先出力は、独立してそれぞれ負荷に直流出力を与えている。遮断ユニット４2の負荷の異常を復旧させ、Ｔ５において、電流検出回路２０の第２スイッチＳＷ２を手動操作して復帰させる。
【００６１】
遮断ユニット４1では、Ｔ６において、電流検出回路２０の第１スイッチＳＷ１を手動操作して出力を遮断し、Ｔ７において、電流検出回路２０の第２スイッチＳＷ２を手動操作して復帰させている。
【００６２】
Ｔ８において、優先出力に過電流が流れると、電源装置１の過電流保護動作によって、電源出力を停止して全ての出力が停止することになる。
【００６４】
上述の実施の形態では、操作部として第１，第２スイッチを設けたけれども、本発明の他の実施の形態として、いずれか一方のみを設けてもよい。
【００６５】
上述の実施の形態では、優先出力を設けたけれども、優先出力は、省略してもよい。
【００６６】
上述の実施の形態では、電源ラインのプラス側を遮断する構成としたけれども、本発明の他の実施の形態として、マイナス側を遮断する構成としてもよく、あるいは、プラス側およびマイナス側を遮断する構成としてもよい。
【００６７】
【発明の効果】
以上のように本発明によれば、電源装置からの電源入力を複数に分岐して複数の負荷に出力するに際して、その出力ラインに対応して該出力ラインを遮断する遮断ユニットを装着できるので、過電流の流れた出力ラインのみを遮断できることになる。しかも、従来例のように、各ライン毎にブレーカを設置する必要もなく、面倒な接続作業も不要になるとともに、ブレーカを設置するためのスペースも必要ない。
【図面の簡単な説明】
【図１】  本発明の一つの実施の形態に係る出力分岐装置を備えるシステムの概略構成図である。
【図２】  図１の出力分岐装置３の内部を簡略化して示す図である。
【図３】  作業者の存在を検知するエリアセンサを示す図である。
【図４】  図１の出力分岐装置３のブロック図である。
【図５】  図４の遮断ユニット４1のブロック図である。
【図６】  図５の遮断ユニット４1の詳細構成を示す回路図である。
【図７】  アラーム回路の構成図である。
【図８】  動作説明に供するタイムチャートである。
【図９】  従来例の構成図である。
【符号の説明】
１                          電源装置
３                          出力分岐装置
４1〜４4                    遮断ユニット（遮断手段）
１０                        バッテリ
１３                        負荷
２０                        電流検出回路
２１                        電流遮断回路
２２                        制御回路
【図１】
0003899827.tif 000002
【図２】
0003899827.tif 000003
【図３】
0003899827.tif 000004
【図４】
0003899827.tif 000005
【図５】
0003899827.tif 000006
【図６】
0003899827.tif 000007
【図７】
0003899827.tif 000008
【図８】
0003899827.tif 000009
【図９】
0003899827.tif 000010